(57)【要約】第１移動通信モードの基地局は、第１移動通信モードで端末と通信を行うと共に第２移動通信モードで無線信号を送信し、第２移動通信モードの基地局は、第２移動通信モードで端末と通信を行うと共に第１移動通信モードで無線信号を送信する。デュアルモード携帯端末の第１の装置は第１移動通信モードで第１移動通信モードの基地局と通信を行うと共に、第２移動通信モードの基地局から送信された第１移動通信モードの無線信号を受信し、該無線信号に基づいて該第２移動通信モード基地局の存否を判断する。同様に、デュアルモード携帯端末の第２の装置は第１移動通信モードの基地局の存否を判断する。
2004091244.tif 000002
【特許請求の範囲】
【請求項１】
第１の移動通信モードと第２の移動通信モードのデュアルモード環境下において双方の移動通信モードで通信可能な機能を備えた端末を用いて通信するデュアルモードシステムにおいて、
第２移動通信モードの基地局は第１移動通信モードで認識可能な無線信号を送信する、
ことを特徴としたデュアルモードシステム。
【請求項２】
請求項１記載のデュアルモードシステムにおいて、第１移通信モードの基地局は第２移動通信モードで認識可能な無線信号を送信する、
ことを特徴とするデュアルモードシステム。
【請求項３】
請求項１記載のデュアルモードシステムにおいて、前記第１の移動通信モードをＷ−ＣＤＭＡ、第２の移動通信モードをＧＳＭまたはＰＤＣとするとき、ＧＳＭ／ＰＤＣ基地局は前記無線信号としてＰ−ＳＣＨを送信し、端末は該Ｐ−ＳＣＨの有無によりＧＳＭ／ＰＤＣ基地局の存在を識別する、
ことを特徴とするデュアルモードシステム。
【請求項４】
請求項１記載のデュアルモードシステムにおいて、前記第１の移動通信モードをＷ−ＣＤＭＡ、第２の移動通信モードをＧＳＭまたはＰＤＣとするとき、ＧＳＭ／ＰＤＣ基地局は前記無線信号としてＰ−ＳＣＨおよびＳ−ＳＣＨを送信し、端末はコードグループ番号と網種別の対応テーブルを備え、Ｓ−ＳＣＨより周辺基地局のコードグループ番号を識別し、該識別した基地局のコードグループ番号と前記対応テーブルとからＧＳＭ／ＰＤＣ基地局の存否を識別する、
ことを特徴とするデュアルモードシステム。
【請求項５】
請求項１記載のデュアルモードシステムにおいて、前記第１の移動通信モードをＷ−ＣＤＭＡ、第２の移動通信モードをＧＳＭまたはＰＤＣとするとき、ＧＳＭ／ＰＤＣ基地局は前記無線信号としてＰ−ＳＣＨ，Ｓ−ＳＣＨ及びＣＰＩＣＨを送信し、端末はスクランブルコードと網種別の対応テーブルを備え、ＣＰＩＣＨから周辺基地局のスクランブルコードを識別し、該識別したスクランブルコードと前記対応テーブルとからＧＳＭ／ＰＤＣ基地局の存否を識別する、
ことを特徴とするデュアルモードシステム。
【請求項６】
請求項１記載のデュアルモードシステムにおいて、前記第１の移動通信モードをＷ−ＣＤＭＡ、第２の移動通信モードをＧＳＭまたはＰＤＣとするとき、ＧＳＭ／ＰＤＣ基地局は前記無線信号としてＰ−ＳＣＨ，Ｓ−ＳＣＨ，ＣＰＩＣＨおよびＰＣＣＰＣＨを送信し、端末は該ＰＣＣＰＣＨ内のＢＣＨ情報よりＧＳＭ／ＰＤＣ基地局の存否を識別する、
ことを特徴とするデュアルモードシステム。
【請求項７】
請求項１記載のデュアルモードシステムにおいて、第２移動通信モードの基地局より送出する第１移動通信モードの無線信号の届くエリアを第２無線通信モードのエリアより小さく、あるいは同等とする、
ことを特徴とするデュアルモードシステム。
【請求項８】
請求項１記載のデュアルモードシステムにおいて、第２移動通信モードの基地局は第１移動通信モードの送信機の他に第１移動通信モードの受信機を具備し、第１移動通信モードで通信中の端末からの第１移動通信モードの無線信号を受信したとき、該送信機より第１移動通信モードの無線信号を送信する、
ことを特徴とするデュアルモードシステム。
【請求項９】
請求項２記載のデュアルモードシステムにおいて、前記第１の移動通信モードをＷ−ＣＤＭＡ、第２の移動通信モードをＧＳＭまたはＰＤＣとするとき、Ｗ−ＣＤＭＡ基地局は前記無線信号として同期チャネルであるＦＣＣＨ／ＳＣＨを送信し、端末はＳＣＨに同期確立したか基づいてＷ−ＣＤＭＡ基地局の存在を識別する、
ことを特徴とするデュアルモードシステム。
【請求項１０】
請求項２記載のデュアルモードシステムにおいて、前記第１の移動通信モードをＷ−ＣＤＭＡ、第２の移動通信モードをＧＳＭまたはＰＤＣとするとき、Ｗ−ＣＤＭＡ基地局は前記無線信号として同期チャネルであるＦＣＣＨ／ＳＣＨに加えてＢＣＣＨを送出し、端末はＢＣＣＨ内の情報を用いてＷ−ＣＤＭＡ基地局の存在を識別する、
ことを特徴とする請求項２記載のデュアルモードシステム。
【請求項１１】
請求項２記載のデュアルモードシステムにおいて、第１移動通信モードの基地局は第２移動通信モードの送信機の他に第２移動通信モードの受信機を具備し、第２移動通信モードで通信中の端末からの第２移動通信モードの無線信号を受信したとき、該送信機より第２移動通信モードの無線信号を送信する、
ことを特徴とするデュアルモードシステム。
【請求項１２】
請求項２記載のデュアルモードシステムにおいて、第１移動通信モードの基地局より送出する第２移動通信モードの無線信号の届くエリアを第１無線通信モードのエリアより小さく、あるいは同等とする、
ことを特徴とするデュアルモードシステム。
【請求項１３】
第１の移動通信モードと第２の移動通信モードのデュアルモード環境下において第１、第２の移動通信モードでそれぞれ通信可能な第１、第２の装置を備えた端末を用いて通信するデュアルモードシステムにおいて、
第１移動通信モードの基地局は、第１移動通信モードで端末と通信を行うと共に第２移動通信モードで無線信号を送信し、
第２移動通信モードの基地局は、第２移動通信モードで端末と通信を行うと共に第１移動通信モードで無線信号を送信し、
端末の第１の装置は第１移動通信モードで第１移動通信モードの基地局と通信を行うと共に、第２移動通信モードの基地局から送信された前記第１移動通信モードの無線信号を受信し、該無線信号に基づいて該第２移動通信モードの基地局の存否を判断し、かつ、端末の第２の装置は第２の移動通信モードで第２移動通信モードの基地局と通信を行うと共に、第１移動通信モードの基地局から送信された前記第２移動通信モードの無線信号を受信し、該無線信号に基づいて該第１移動通信モードの基地局の存否を判断する、
ことを特徴とするデュアルモードシステム。
【請求項１４】
第１の移動通信モードと第２の移動通信モードのデュアルモード環境下において第１、第２の移動通信モードでそれぞれ通信可能なデュアルモード無線端末において、
第１、第２の移動通信モードでそれぞれ通信する第１、第２の装置を備え、
前記第１の装置は、第１移動通信モードで第１移動通信モードの基地局と通信を行うと共に、第２移動通信モードの基地局から送信された第１移動通信モードの無線信号を受信し、該無線信号に基づいて該第２移動通信モードの基地局の存否を判断し、
前記第２の装置は、第２移動通信モードで第２移動通信モードの基地局と通信を行うと共に、第１移動通信モードの基地局から送信された第２移動通信モードの無線信号を受信し、該無線信号に基づいて該第１移動通信モードの基地局の存否を判断する、
ことを特徴とするデュアルモード無線端末。
【請求項１５】
無線信号の送信形式の異なる第１及び第２の移動通信システムに関する情報を該第１の移動通信システムに対応した無線信号にて受信する受信手段を備えた、
ことを特徴とする移動局。
【請求項１６】
無線信号の送信形式の異なる第１及び第２の移動通信システムに関する情報を該第１の移動通信システムに対応した無線信号にて送信する送信手段を備えた、
ことを特徴とする移動局。
【発明の詳細な説明】
【技術分野】  本発明は移動通信におけるデュアルモードシステム及びデュアルモード無線端末に係わり、特に、第１の移動通信モードと第２の移動通信モードのデュアルモード環境下において双方の移動通信モードで通信可能なデュアルモード無線端末及び該端末を用いて通信するデュアルモードシステムに関する。
【背景技術】  本発明は、欧州・日本等で既存の無線システムＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）あるいはＰＤＣ（Ｐｅｒｓｏｎａｌ  Ｄｉｇｉｔａｌ  Ｃｅｌｌｕｌａｒ  Ｔｅｌｅｃｏｍｍｕｎｉｃａｔｉｏｎ  Ｓｙｓｔｅｍ）に対し、Ｗ−ＣＤＭＡ無線システムを共存させるデュアルモード環境下において使用される。
デュアルモードの環境において、携帯端末はＷ−ＣＤＭＡ、ＧＳＭ（又はＰＤＣ）のいずれかの無線システム（通信モード）を使用している。かかる場合、端末は異なる通信モードの基地局間のハンドオーバーに備え、両通信モードの基地局の周辺における存否を把握する必要があり、このため定期的に使っていない通信モードについても周辺基地局の情報収集を行わなければならない。その際、端末は未使用の通信モードに応じた通信ユニットをわざわざ起動し、該未使用通信モードの基地局の周辺における存否情報を収集する。なお、使用中通信モードの周辺基地局の存否情報の収集は定期的に行われている。
図２４は従来の動作例説明図である。図２４の（Ａ）の通常状態において、ディアルモード端末ＭＳはＷ−ＣＤＭＡの通信ユニット１を使用してＷ−ＣＤＭＡの基地局ＢＴＳ１との通信を行っている。この時もう一方のＧＳＭの通信ユニット２は電源がＯＦＦされている。ただし、ＧＳＭの基地局ＢＴＳ２からのＧＳＭ電波４は届いている。ここでＣＰＵ（またはＤＳＰ）３は、図２４の（Ｂ）に示すように端末ＭＳのＧＳＭ通信ユニット２に対し、定期的に電源ＯＮの指示ＰＯＮを出しＧＳＭ電波を測定する要求を行う（周辺情報収集）。このように周辺情報収集に際しては、使っていない通信モードの通信ユニットを起動して電波のレベル測定といった周辺情報収集を行なう必要がある。
無線携帯端末ＭＳにおいて、小型化と同時に、少ないバッテリーでいかに連続通話や連続待受け時間を伸ばすかが重要な課題となっている。上記従来の方法では未使用通信モードの通信ユニットの電源を定期的にＯＮし、未使用通信モードの周辺基地局の情報収集を定期的に行っている。すなわち、従来の方法では使用中通信モード以外の通信モードの通信ユニットを定期的に起動する必要があるため、その分電力を消費してしまい端末の電池消耗が早く連続通話や待受け時間が短くなるという問題がある。
従来技術として、使用中の移動電話システム（ＰＨＳ）がサービスエリア外になった場合、他の移動電話システム（ＧＳＭ）に対する位置登録を迅速に行う移動電話システムがある（特許文献１）。これは、端末の電源を投入した直後に、ＧＳＭで使用される全制御チャネルを検索して保存しておき、ＰＨＳ圏外になったときに保存してある制御チャネルを用いて位置登録処理を行うものである。また、記憶されている全制御チャネルで正常な通信ができない場合には、ＧＳＭで使用される全制御チャネルを検索して保存するものである。しかし、特許文献１は、通信中基地局から無線システムが異なる基地局に無瞬断で切り替えて通信を継続するソフトハンドオーバに関するものではない。又、特許文献１は異なる無線システムの基地局間でハンドオーバするデュアルモードシステムにおいて、移動中に周辺セルをサーチするものではない。従って、特許文献１は上記問題を解決できない。
特許文献１：特開平１１−２９８９６４号公報
以上より本発明の目的は、デュアルモードの環境において、異なる移動通信モードの基地局間のハンドオーバーに備えて各移動通信モードの基地局の周辺における存否を少ない電力消費で認識できるようにすることである。
本発明の別の目的は、端末において、動作中の移動通信モードに応じた装置のみ電源をオンし、他の移動通信モードに応じた装置の電源をオフしたまま各移動通信モードの基地局の周辺における存否を認識できるようにすることである。
【発明の開示】
本発明は、第１の移動通信モード（たとえばＷ−ＣＤＭＡ）と第２の移動通信モード（たとえばＧＳＭまたはＰＤＣ）のデュアルモード環境下において第１、第２の移動通信モードでそれぞれ通信可能な第１、第２の装置を備えた端末を用いて通信するデュアルモードシステムである。第１移動通信モードの基地局は、第１移動通信モードで端末と通信を行うと共に第２移動通信モードで無線信号を送信し、第２移動通信モードの基地局は、第２移動通信モードで端末と通信を行うと共に第１移動通信モードで無線信号を送信し、端末の第１の装置は第１移動通信モードで第１移動通信モードの基地局と通信を行うと共に、第２移動通信モードの基地局から送信された前記第１移動通信モードの無線信号を受信し、該無線信号に基づいて該第２移動通信モードの基地局の存否を判断し、かつ、端末の第２の装置は第２移動通信モードで第２移動通信モードの基地局と通信を行うと共に、第１移動通信モードの基地局から送信された前記第２移動通信モードの無線信号を受信し、該無線信号に基づいて該第１移動通信モードの基地局の存否を判断する。
すなわち、端末が第１移動通信モード（Ｗ−ＣＤＭＡ）で動作時、第２移動通信モード（ＧＳＭ／ＰＤＣ）の基地局は第１移動通信モードで認識可能な無線信号を送信しているから、端末は該無線信号を受信して第２移動通信モードの基地局の存否を把握する。また、端末が第２移動通信モード（ＧＳＭ／ＰＤＣ）で動作時、第１移通信モードの基地局（Ｗ−ＣＤＭＡ）は第２移動通信モードで認識可能な無線信号を送信しているから、端末は該無線信号を受信して第２移動通信モードの基地局の存否を把握する。
本発明の第２は、第１の移動通信モードと第２の移動通信モードのデュアルモード環境下において第１、第２の移動通信モードでそれぞれ通信可能なデュアルモード無線端末である。このデュアルモード無線端末は第１、第２の移動通信モードでそれぞれ通信する第１、第２の装置を備え、第１の装置は、第１移動通信モードで第１移動通信モードの基地局と通信を行うと共に、第２移動通信モードの基地局から送信された第１移動通信モードの無線信号を受信し、該無線信号に基づいて該第２移動通信モードの基地局の存否を判断し、第２の装置は、第２移動通信モードで第２移動通信モードの基地局と通信を行うと共に、第１移動通信モードの基地局から送信された第２移動通信モードの無線信号を受信し、該無線信号に基づいて該第１移動通信モードの基地局の存否を判断する。
以上のデュアルモードシステムおよびデュアルモード無線端末によれば、異なる移動通信モードの基地局間のハンドオーバーに備えて各移動通信モードの周辺基地局の存否を少ない消費電力で認識することができる。
また、本発明によれば、動作中の移動通信モードに応じた装置のみ電源をオンし、他の移動通信モードに応じた装置の電源をオフしたまま各移動通信モード基地局の周辺における存否を認識できるようになったから電力消費を低減することができ、バッテリーの長寿命化が可能になった。
【図面の簡単な説明】  図１は端末ＭＳがＷ−ＣＤＭＡ基地局と通信中において周辺のＧＳＭ基地局の存否を認識するための原理説明図ある。
図２は端末ＭＳがＧＳＭ基地局と通信中において周辺のＷ−ＣＤＭＡ基地局の存否を認識するための原理説明図である。
図３はＷ−ＣＤＭＡ基地局から移動局への下り信号フレームフォーマット及び本発明に関係する下りチャネルの説明図である。
図４はＰ−ＳＣＨ，Ｓ−ＳＣＨの説明図である。
図５は１５個のセコンダリスクランブルコードＳＳＣのパターンＣｓｉ，０，Ｃｓｉ，１，Ｃｓｉ，２，……Ｃｓｉ，１４とグループ番号との対応テーブル説明図である。
図６はＧＳＭ基地局ＢＴＳ２のＷ−ＣＤＭＡ送信部の説明図である。
図７はＧＳＭ基地局より常時、Ｐ−ＳＣＨを送出することにより、周辺ＧＳＭ基地局の存否の識別を行う処理フローである。
図８は  ＧＳＭ基地局より、常時、Ｐ−ＳＣＨ，Ｓ−ＳＣＨを送出することにより、周辺ＧＳＭ基地局の存否の識別を行う第１の処理フローである。
図９は  ＧＳＭ基地局より、常時、Ｐ−ＳＣＨ，Ｓ−ＳＣＨを送出することにより、周辺ＧＳＭ基地局の存否の識別を行う第２の処理フローである。
図１０はスクランブルコードのグループ番号と網種別の対応テーブルである。
図１１は周辺セル検出テーブルの例である。
図１２はＧＳＭ基地局より、常時、Ｐ−ＳＣＨ，Ｓ−ＳＣＨ，ＣＰＩＣＨを送出することにより、周辺ＧＳＭ基地局の存否の識別を行う処理フローである。
図１３はスクランブルコードと網種別対応テーブルである。
図１４は周辺セル検出テーブルの例である。
図１５はＧＳＭ基地局より、常時、Ｐ−ＳＣＨ，Ｓ−ＳＣＨ，ＣＰＩＣＨ，ＢＣＨを送出することにより、周辺ＧＳＭ基地局の存否の識別を行う処理フローである。
図１６は所定周波数のＧＳＭ信号の下り信号フォーマットである。
図１７はＷ−ＣＤＭＡ基地局より所定周波数Ｆ１で所定同期バーストＳＢのＳＣＨ，所定周波数補正バーストＦＢのＦＣＣＨを常時送出することにより、周辺ＧＳＭ基地局の存否の識別を行う処理フローである。
図１８はＷ−ＣＤＭＡ基地局よりＳＣＨ，ＦＣＣＨ，ＢＣＣＨを送出して周辺ＧＳＭ基地局の存否の識別を行う処理フローである。
図１９はデュアルモード携帯端末ＭＳがＷ−ＣＤＭＡ基地局ＢＴＳ１と通信中に移動によりハンドオーバする説明図（（Ａ）図）およびデュアルモード携帯端末ＭＳがＧＳＭ基地局ＢＴＳ２と通信中に移動によりハンドオーバする説明図（（Ｂ）図）である。
図２０はＧＳＭ基地局がデュアルモード携帯端末ＭＳからＷ−ＣＤＭＡ無線信号を受信したとき、Ｗ−ＣＤＭＡ無線信号の送信を開始する場合の説明図である。
図２１はＷ−ＣＤＭＡ基地局がデュアルモード携帯端末ＭＳからＧＳＭ無線信号を受信したとき、ＧＳＭ無線信号の送信を開始する場合の説明図である。
図２２はデュアルモード携帯端末ＭＳがＷ−ＣＤＭＡ基地局ＢＴＳ１と通信しながら、周辺セルサーチする場合の手順説明図である。
図２３はデュアルモード携帯端末の動作説明用のフローである。
図２４は従来の動作例説明図である。
【発明を実施するための最良の形態】  （Ａ）本発明の概略
本発明は、Ｗ−ＣＤＭＡとＧＳＭ／ＰＤＣのデュアルモード環境下におけるＷ−ＣＤＭＡとＧＳＭ／ＰＤＣの双方のシステムを使用可能な端末を用いるデュアルモードシステムにおいて、それぞれの基地局が互いのシステムを認識する無線信号を送出し、端末がどちらのシステムを使っていても、もう一方のシステムを起動することなく周辺セルの情報を収集することを目的とする。これにより本発明によれば、端末は両方のシステムを起動せずに互いのセル情報（基地局存否情報）を認識可能となる。このため、セル情報を収集するためにもう一方のシステムを起動して過剰に消費電流を費やすことなく、必要な時に必要なシステムへのハンドオーバーが可能となる。
図１はデュアルモード携帯端末ＭＳにおけるＷ−ＣＤＭＡ装置１１がＷ−ＣＤＭＡ基地局ＢＴＳ１と通信中において周辺のＧＳＭ基地局の存否を認識するための原理説明図である。図１においてＷ−ＣＤＭＡの基地局ＢＴＳ１は無線信号１を使用してＷ−ＣＤＭＡでサービスしている。ＧＳＭの基地局ＢＴＳ２は無線信号２を使用してＧＳＭでサービスを行っているがこの信号の他にＷ−ＣＤＭＡ用の無線信号３を送出している。すなわち、ＧＳＭ基地局ＢＴＳ２のＧＳＭ送受信部２１は、制御部（ＣＰＵ）２３の制御で無線信号２を使用してＧＳＭでサービスを行っており、また、Ｗ−ＣＤＭＡ送信部２２はＷ−ＣＤＭＡ用の無線信号３を送出している。無線信号３は常に送出されているＷ−ＣＤＭＡ用のブロードキャスト信号である。
この環境下でデュアルモード携帯端末ＭＳは、Ｗ−ＣＤＭＡで通信可能な第１装置（Ｗ−ＣＤＭＡ装置）１１を使ってＷ−ＣＤＭＡの基地局ＢＴＳ１と通信を行なっている。なお、ＧＳＭで通信可能な第２装置（ＧＳＭ装置）１２は電源オフ状態になっている。この際、Ｗ−ＣＤＭＡ装置１１は、制御部（ＣＰＵ又はＤＳＰ）１３からの指示に従って定期的に他の基地局ＢＴＳを探す処理（セルサーチ）も行っている。ＧＳＭ基地局ＢＴＳ２からＷ−ＣＤＭＡの電波（無線信号３）が送信されていると、端末ＭＳのＷ−ＣＤＭＡ装置１１は基地局ＢＴＳが存在すると判断し、その受信信号より基地局ＢＴＳの特定処理を行う。本来Ｗ−ＣＤＭＡ用の無線信号には基地局ＢＴＳを識別するコードが含まれているため、Ｗ−ＣＤＭＡ装置１１は予め登録しておいたＧＳＭ用ＢＴＳのコードと比較することによりＧＳＭ用ＢＴＳの存在を認識できる。すなわち、ＧＳＭ装置１２の電源をオフ状態にしたままＧＳＭ用ＢＴＳの存在を認識できる。
図２はデュアルモード携帯端末ＭＳにおけるＧＳＭ装置１２がＧＳＭ基地局ＢＴＳ２と通信中において周辺のＷ−ＣＤＭＡ基地局の存否を認識するための原理説明図である。図２においてＧＳＭ基地局ＢＴＳ２は無線信号１を使用してＧＳＭでサービスしている。Ｗ−ＣＤＭＡの基地局ＢＴＳ１は無線信号２を使用してＷ−ＣＤＭＡでサービスを行っているがこの信号の他にＧＳＭ用の無線信号３を送出している。すなわち、Ｗ−ＣＤＭＡ基地局ＢＴＳ１のＷ−ＣＤＭＡ送受信部３１は、制御部（ＣＰＵ）３３の制御で無線信号２を使用してＷ−ＣＤＭＡでサービスを行っており、また、ＧＳＭ送信部３２はＧＳＭ用の無線信号３を送出している。無線信号３は常に送出されているＧＳＭ用のブロードキャスト信号である。
この環境下でデュアルモード携帯端末ＭＳは、ＧＳＭ装置１２を使ってＧＳＭの基地局ＢＴＳ２と通信を行なっている。なお、Ｗ−ＣＤＭＡ装置１１は電源オフ状態になっている。この際、ＧＳＭ装置１２は、制御部（ＣＰＵ又はＤＳＰ）１３からの指示に従って定期的に他の基地局ＢＴＳを探す処理も行っている。Ｗ−ＣＤＭＡ基地局ＢＴＳ１からＧＳＭの電波（無線信号３）が送信されていると、端末ＭＳのＧＳＭ装置１２は基地局ＢＴＳが存在すると判断し、その受信信号より基地局ＢＴＳの特定処理を行う。本来Ｗ−ＣＤＭＡ用の無線信号には基地局ＢＴＳを識別する同期パターンが含まれているため、ＧＳＭ装置１２は予め登録しておいたＷ−ＣＤＭＡ用ＢＴＳの同期パターンを用いてＷ−ＣＤＭＡ用基地局ＢＴＳの存在を認識できる。すなわち、Ｗ−ＣＤＭＡ装置１１の電源をオフ状態にしたままＷ−ＣＤＭＡ用基地局ＢＴＳの存在を認識できる。
（Ｂ）Ｗ−ＣＤＭＡの信号フォーマット
図３はＷ−ＣＤＭＡ基地局から移動局への下り信号フレームフォーマット及び本発明に関係する下りチャネルの説明図である。１フレームは１０ｍｓｅｃで、１５スロットＳ０〜Ｓ１４で構成されている。
プライマリ同期チャネルＰ−ＳＣＨはセルサーチ用チャネルでスロット同期をとるために使用される。このＰ−ＳＣＨは各基地局において、２５６チップ長の予め設定されているプライマリスクランブルコードＰＳＣで拡散され、毎スロットの先頭６６．７μ  ｓｅｃに配置される。ＰＳＣは全基地局で同一である。
セコンダリ同期チャネルＳ−ＳＣＨは、基地局に対するフレーム同期確立と、基地局（セル）がどのスクランブルコードグループに属しているかを移動局に認識させるチャネルである。Ｓ−ＳＣＨは、２５６チップ長のセコンダリスクランブルコードＳＳＣで拡散され、毎スロットの先頭６６．７μ  ｓｅｃに配置される。基地局コードとして５１２個のスクランブルコードＳＣが用意されており、これらは８個づつの６４グループに別れている。基地局コードがどのグループに属しているか識別し、しかる後、該グループに属する８個のスクランブルコードと受信信号との相関をとることにより基地局コードを識別することができる。
図４に示すように、１フレーム１５スロットの先頭に挿入される１５個のＳＳＣのパターンＣｓｉ，０，Ｃｓｉ，１，Ｃｓｉ，２，……Ｃｓｉ，１４とグループ番号との対応は図５に示すように予め対応付けられている。したがって、端末は基地局がどのコードパターンを送信しているかにより基地局コードのグループを識別することができる。
図２において、プライマリ共通制御チャネルＰＣＣＰＣＨは、下り方向の共通チャネルで各基地局に１個存在し、ＢＣＨ（報知情報）を送信するために使用される。ＢＣＨには基地局に関する情報がすべて含まれており、基地局がＷ−ＣＤＭＡ用基地局であるかＧＳＭ用基地局であるかなどの種別情報も含まれている。
共通パイロットチャネルＣＰＩＣＨは下り方向の共通チャネルであり、各セルに１つ存在する。ＣＰＩＣＨは基地局コードで拡散されており、端末ＭＳは識別したグループの８個のスクランブルコードそれぞれと共通パイロットチャネルＣＰＩＣＨとの相関を演算することにより基地局コードを識別することができる。
Ｗ−ＣＤＭＡ基地局ＢＴＳ１のＷ−ＣＤＭＡ送受信部３１（図２）はＷ−ＣＤＭＡ通信を実行するためのフル装備を有している。一方、ＧＳＭ基地局ＢＴＳ２のＷ−ＣＤＭＡ送信部２２（図１）は、図６に示すように乗算器４１〜４４で上記各チャネルを所定のコードで拡散し、拡散結果を合成部４５で合成し、合成信号を図示しない無線送信部を介して送信する構成を備えている。
（Ｃ）周辺ＧＳＭ基地局の存否識別処理
（ａ）ＧＳＭ基地局よりＰ−ＳＣＨを送出する場合
図７はＧＳＭ基地局より常時、Ｗ−ＣＤＭＡのＰ−ＳＣＨを送出することにより、周辺ＧＳＭ基地局の存否の識別を行う処理フローである。ただし、Ｗ−ＣＤＭＡ基地局がＰ−ＳＣＨを拡散するプライマリスクランブルコードＰＳＣとＧＳＭ基地局がＰ−ＳＣＨを拡散するセコンダリスクランブルコードＰＳＣとは異なる。ＧＳＭ基地局のＰＳＣはＧｐであるとする。
移動局（デュアルモード携帯端末）ＭＳは、Ｗ−ＣＤＭＡモードでＷ−ＣＤＭＡ基地局ＢＴＳ１と通信中であり（図１参照）、Ｗ−ＣＤＭＡ装置１１は電源オン、ＧＳＭ装置１２は電源オフになっている（ステップ１０１）。
Ｗ−ＣＤＭＡ装置１１は、定期的に周辺基地局のサーチを行っており、コードＧｐと受信信号との相関を演算し、相関がとれたか（スロット同期が確立したか）チェックする（ステップ１０２）。相関がとれなければ、ＧＳＭ基地局なしと判定し（ステップ１０３）、相関がとれればＧＳＭ基地局有りと判定し（ステップ１０４）、始めに戻る。
尚、ステップ１０４において、受信レベルを測定し、受信レベルが設定値以上の場合にのみＧＳＭ基地局有りと判定するように構成することもできる。
（ｂ）ＧＳＭ基地局よりＰ−ＳＣＨ，Ｓ−ＳＣＨを送出する場合
図８〜図９はＧＳＭ基地局より、常時、Ｗ−ＣＤＭＡのＰ−ＳＣＨ，Ｓ−ＳＣＨを送出することにより、周辺ＧＳＭ基地局の存否の識別を行う処理フローである。なお、ＧＳＭ基地局が送信するＰ−ＳＣＨの拡散コード（ＰＳＣ）はＷ−ＣＤＭＡ基地局が送信するＰ−ＳＣＨの拡散コード（ＰＳＣ）と同じである。また、Ｗ−ＣＤＭＡ基地局が使用するスクランブルコードのグループ番号とＧＳＭ基地局が使用するスクランブルコードのグループ番号は図１０に示すように区分けされており、Ｗ−ＣＤＭＡ装置１１はこのテーブルを保持している。すなわち、グループ番号１〜３２はＷ−ＣＤＭＡ基地局が使用するスクランブルコードグループ、番号ループ３３〜６４はＧＳＭ基地局が使用するスクランブルコードグループであるとする。
デュアルモード携帯端末（移動局）ＭＳは、Ｗ−ＣＤＭＡモードでＷ−ＣＤＭＡ基地局ＢＴＳ１と通信中であり（図１参照）、Ｗ−ＣＤＭＡ装置１１は電源オン、ＧＳＭ装置１２は電源オフになっている。かかる状態において、Ｗ−ＣＤＭＡ装置１１は、制御部１３からの指示に従って、定期的に周辺基地局のサーチを行っており（ステップ２０１）、既知のプライマリスクランブルコードＰＳＣと受信信号との相関を演算し、相関がとれたか（スロット同期が確立したか）チェックする（ステップ２０２）。相関がとれなければ、セルサーチを継続する。
相関がとれればセル有りとみなし、周辺セル検出テーブルを更新する（ステップ２０３）。すなわち、図９に示すように、Ｓ−ＳＣＨを用いて周辺基地局のスクランブルコードグループを識別する（ステップ２０３ａ）。ついで、識別された各スクランブルコードグループについて受信レベルを検出し、該受信レベルが設定レベルより大きいか、小さいか判断し（ステップ２０３ｂ），小さい場合には削除するものとみなし（ステップ２０３ｃ）、大きい場合にはグループ番号／受信レベル／網種別などを登録するものとみなす（ステップ２０３ｄ）。ステップ２０３ａで識別された全スクランブルコードグループについて上記処理を終了すれば、ステップ２０３ｃ，２０３ｄの判断結果に基づいて周辺セル検出テーブルを更新する（ステップ２０３ｅ）。図１１は周辺セル検出テーブルの例であり、現在周辺に３つの基地局が存在し、それぞれのグループ番号、検出レベル（受信レベル）、網種別（基地局がＷ−ＣＤＭＡ基地局かＧＳＭ基地局かの別）が記録される。
以上では、端末が通信中であった場合について説明したが、電源投入した場合には次のようになる。すなわち、電源投入直後、端末ＭＳはセルサーチを実施して周辺セル検出テーブル作成し、しかる後、位置登録を実施し、アイドル状態（待ち受け状態）へ移行する。
端末ＭＳはアイドル状態及び通信中に周辺基地局の受信レベルを測定し、前述の周辺セル検出テーブルの更新を行ない（ステップ２０４）、通信中基地局からの受信レベルの低下、周辺基地局からの受信レベルの上昇（イベントの発生）があったかチェックする（ステップ２０５）。イベントの発生を検出すると、通信中の基地局ＢＴＳに対してイベントの通知を行なう（ステップ２０６）。イベントとは、待ち受け中にはＢＣＣＨで通知され、通信中にはＤＣＣＨで通知される基地局ＢＴＳから提供されるレベルの閾値情報より、端末ＭＳが検出しているレベルがその閾値を超えた場合に発生する。
基地局ＢＴＳから待ち受けセル又は通信セルの変更要求があれば（ステップ２０７）、端末ＭＳは制御部１３の制御では基地局ＢＴＳから指定されたセルへ移行を行なう。移行時、制御部１３は移行先セルがＷ−ＣＤＭＡ網か、ＧＳＭ網かの判断を行ない（ステップ２０８）、Ｗ−ＣＤＭＡ網の場合には既存のセルの更新又はハンドオーバーを実施する（ステップ２０９）。一方、移行先セルがＧＳＭ網であれば、制御部１３はＧＳＭ装置１２を起動し（ステップ２１０）、ついで端末ＭＳが通信中であるかチェックし（ステップ２１１）、通信中であれば、ＧＳＭ基地局にハンドオーバするためのハンドオーバ処理を行い（ステップ２１２）、通信中でなければセル変更処理を行う（ステップ２１３）。
（ｃ）ＧＳＭ基地局よりＰ−ＳＣＨ，Ｓ−ＳＣＨ，ＣＰＩＣＨを送出する場合
図１２はＧＳＭ基地局より、常時、Ｗ−ＣＤＭＡのＰ−ＳＣＨ，Ｓ−ＳＣＨ，ＣＰＩＣＨを送出することにより、周辺ＧＳＭ基地局の存否の識別を行う処理フローである。
なお、ＧＳＭ基地局が送信するＰ−ＳＣＨの拡散コード（ＰＳＣ）はＷ−ＣＤＭＡ基地局が送信するＰ−ＳＣＨの拡散コード（ＰＳＣ）と同じである。また、Ｗ−ＣＤＭＡ基地局が使用するスクランブルコードとＧＳＭ基地局が使用するスクランブルコードは図１３に示すように区分けされており、Ｗ−ＣＤＭＡ装置１１はこのテーブルを保持している。すなわち、スクランブルコード０〜ｎはＷ−ＣＤＭＡ基地局が使用するスクランブルコード、スクランブルコードグ（ｎ＋１）〜５１１はＧＳＭ基地局が使用するスクランブルコードであるとする。
デュアルモード携帯端末ＭＳは、Ｗ−ＣＤＭＡモードでＷ−ＣＤＭＡ基地局ＢＴＳ１と通信中またはアイドル状態であり（ステップ３０１）、Ｗ−ＣＤＭＡ装置１１は電源オン、ＧＳＭ装置１２は電源オフになっている。かかる状態において、Ｗ−ＣＤＭＡ装置１１は制御部１３からの指示に従って、定期的に既知のプライマリスクランブルコードＰＳＣを用いて周辺基地局のサーチ（スロット同期の確立検出）を行っている（ステップ３０２）。スロット同期の確立を検出すれば、Ｓ−ＳＣＨを用いて周辺基地局のスクランブルコードグループを識別する（ステップ３０３）。ついで、ＣＰＩＣＨを用いて周辺基地局のスクランブルコード（基地局コード）を検出する（ステップ３０４）。
しかる後、検出された各スクランブルコードについて受信レベルを測定し、該受信レベルが設定レベルより大きいか、小さいか判断し，小さい湯合には削除するものとみなし、大きい場合にはスクランブルコード／受信レベル／網種別などを登録するものとみなし、これら判断結果に基づいて周辺セル検出テーブルを更新する（ステップ３０６）。図１４は周辺セル検出テーブルの例であり、現在周辺に多数の基地局が存在し、それぞれのスクランブルコード、検出レベル（受信レベル）、網種別が記録される。
以後、図８のステップ２０４以降と同様の処理が行われる。すなわち、ステップ２０４以降の各ステップにより周辺セル検出テーブルの更新、ハンドオーバ、セル変更処理が行われる。
（ｄ）ＧＳＭ基地局よりＰ−ＳＣＨ，Ｓ−ＳＣＨ，ＣＰＩＣＨ，ＢＣＨを送出する場合
図１５はＧＳＭ基地局より、常時、Ｗ−ＣＤＭＡのＰ−ＳＣＨ，Ｓ−ＳＣＨ，ＣＰＩＣＨ，ＢＣＨを送出することにより、周辺ＧＳＭ基地局の存否の識別を行う処理フローである。ただし、ＧＳＭ基地局が送信するＰ−ＳＣＨの拡散コード（ＰＳＣ）はＷ−ＣＤＭＡ基地局が送信するＰ−ＳＣＨの拡散コード（ＰＳＣ）と同じである。また、ＧＳＭ基地局に１つの基地局コードが付与されている。
デュアルモード携帯端末ＭＳは、図１に示すようにＷ−ＣＤＭＡモードでＷ−ＣＤＭＡ基地局ＢＴＳ１と通信中またはアイドル状態であり（ステップ４０１）、Ｗ−ＣＤＭＡ装置１１は電源オン、ＧＳＭ装置１２は電源オフになっている。かかる状態において、Ｗ−ＣＤＭＡ装置１１は制御部１３からの指示に従って、定期的に既知のプライマリスクランブルコードＰＳＣを用いて周辺基地局のサーチを行っている（ステップ４０２）。スロット同期の確立を検出すれば、Ｓ−ＳＣＨを用いて周辺基地局のスクランブルコードグループを識別する（ステップ４０３）。
ついで、ＣＰＩＣＨを用いて周辺基地局のスクランブルコード（基地局コード）を検出する（ステップ４０４）。
基地局コードが求まれば、Ｐ−ＣＣＰＣＨを逆拡散してＢＣＨ情報を復調し（ステップ４０５）、該ＢＣＨ情報に基づいて基地局の網種別を識別する（ステップ４０６）。また、前記識別された各スクランブルコードについて受信レベルを測定し（ステップ４０７）、該受信レベルが設定レベルより大きいか、小さいか判断し，小さい場合には削除するものとみなし、大きい場合にはスクランブルコード／受信レベル／網種別などを登録するものとみなし、これら判断結果に基づいて周辺セル検出テーブルを更新する（ステップ４０８）。
以後、図８のステップ２０４以降と同様の処理が行われる。すなわち、ステップ２０４以降のステップにより周辺セル検出テーブルの更新、ハンドオーバ、セル変更処理が行われる。
（ｅ）Ｗ−ＣＤＭＡ基地局よりＧＳＭのＳＣＨ，ＦＣＣＨを送出する場合
図１６は所定周波数のＧＳＭ信号の下り信号フォーマットであり、ハイパーフレームＨＦは２０４８個のスーパーフレームＳＦで構成され、１スーパーフレームＳＦは例えば２６個のマルチフレームＭＦで構成され、１個のマルチフレームＭＦは８スロットのＴＤＭＡフレームで構成され、１ＴＤＭＡフレームは１４８ビット構成され、前後に、テールビットＴＢおよびガード期間ＧＰが設けられている。ＧＳＭでは１０フレーム毎に１４８ビットの同期バーストＳＢが挿入されており、この同期バーストＳＢの集まりをＳＣＨ（同期チャネル）といい、ＳＣＨの同期を確立することにより各フレームのタイミングを正確に把握することができるようになる。又、同様に１０フレーム毎に１４８ビットの周波数補正バーストＦＢが挿入されており、この周波数補正バーストＦＢの集まりをＦＣＣＨ（周波数補正周波数補正チャネル）といい、ＦＣＣＨを用いることにより正確な周波数のクロック信号を発生できるようになる。報知チャネルＢＣＣＨや共通制御チャネルＣＣＣＨ等はマルチフレームＭＦにより運ばれる。
Ｗ−ＣＤＭＡ基地局ＢＴＳ１（図２）には所定の周波数Ｆ１、所定のＳＢパターン及びＦＢパターンが割り当てられる。そして、Ｗ−ＣＤＭＡ基地局ＢＴＳ１は常時、１０フレーム毎に該ＳＢパターン、ＦＢパターンを挿入してなる前記周波数Ｆ１のＧＳＭ信号を送信する。デュアルモード携帯端末ＭＳはＦＢパターンを用いて周波数をＦ１に補正し、ＳＢパターンにより同期確立ができたか否かによりＷ−ＣＤＭＡ基地局の存否を判定する。
図１７はＷ−ＣＤＭＡ基地局より所定周波数Ｆ１でＳＣＨ，ＦＣＣＨを常時送出することにより、周辺ＧＳＭ基地局の存否の識別を行う処理フローである。デュアルモード携帯端末ＭＳは周波数Ｆ１、同期バーストＳＢのパターン、周波数補正バーストＦＢのパターンを知っているものとする。
デュアルモード携帯端末ＭＳ（図２参照）は、ＧＳＭモードでＧＳＭ基地局ＢＴＳ２と通信中であり、ＧＳＭ装置１２は電源オン、Ｗ−ＣＤＭＡ装置１１は電源オフになっている（ステップ５０１）。
ＧＳＭ装置１２は制御部１３からの指示に従って、定期的に既知の周波数Ｆ１、同期バーストパターン、周波数補正バーストパターンを用いて周辺基地局のサーチを行っており、ＦＣＣＨでクロック信号の周波数をＦ１に周波数補正すると共に、ＳＣＨで同期確立ができたか監視する（ステップ５０２）。
ＳＣＨに同期確立しなけれ、Ｗ−ＣＤＭＡ基地局は存在せずと判定し（ステップ５０３）、ＳＣＨに同期確立すればＷ−ＣＤＭＡ基地局が存在する判定する（ステップ５０４）。以後、始めに戻って以降の処理を繰返す。
なお、ステップ５０４において、受信レベルを測定し、受信レベルが設定値以上の場合にのみＷ−ＣＤＭＡ基地局が存在すると判定するように構成することもできる。また、Ｗ−ＣＤＭＡ基地局に付与するＳＢパターンと周波数の組合わせを変えることによりＷ−ＣＤＭＡ基地局を識別するように構成することも可能となる。
（ｆ）Ｗ−ＣＤＭＡ基地局よりＳＣＨ，ＦＣＣＨ，ＢＣＣＨを送出する場合
図１８はＷ−ＣＤＭＡ基地局よりＳＣＨ，ＦＣＣＨ，ＢＣＣＨを送出して周辺ＧＳＭ基地局の存否の識別を行う処理フローである。なお、Ｗ−ＣＤＭＡ基地局ＢＴＳ１（図２）には所定の周波数Ｆ１、同期バーストパターン、周波数補正バーストパターンが割り当てられている。そして、Ｗ−ＣＤＭＡ基地局ＢＴＳ１は常時、１０フレーム毎に該ＳＢパターン、ＦＢパターンを挿入し、かつ、ＢＣＣＨにＷ−ＣＤＭＡ基地局の種別情報を含ませなる前記周波数Ｆ１のＧＳＭ信号を送信する。
デュアルモード携帯端末ＭＳ（図２）は、ＧＳＭモードでＧＳＭ基地局ＢＴＳ２と通信中であり、ＧＳＭ装置１２は電源オン、Ｗ−ＣＤＭＡ装置１１は電源オフになっている（ステップ６０１）。
制御部１３からの指示に従って、ＧＳＭ装置１２は、定期的に既知の周波数Ｆ１、同期バーストパターン、周波数補正バーストパターンを用いて周辺基地局のサーチを行っており、ＦＣＣＨを用いてクロック信号周波数をＦ１に周波数補正すると共に、ＳＣＨの同期バーストパターンに同期させる（ステップ６０２）。同期確立後、ＢＣＣＨを復調し（ステップ６０３）、該ＢＣＣＨ情報に含まれる網種別情報に基づいてＷ−ＣＤＭＡ基地局が周辺に存在することを識別する（ステップ６０４）。
ついで、Ｗ−ＣＤＭＡ基地局からの受信レベルを測定し（ステップ６０５）、該受信レベルが設定レベルより大きいか、小さいか判断し，小さければＷ−ＣＤＭＡ基地局は存在しないと判定し、大きければＷ−ＣＤＭＡ基地局が存在すると判定する（ステップ６０６）。なお、ＢＣＣＨ情報にＷ−ＣＤＭＡ基地局を特定する詳細情報を含ませることができる。
以後、上記動作を繰返して周辺セル検出テーブルを作成し、図８と同様の処理によりハンドオーバ、セル変更を行う。
（Ｄ）第１無線モードの基地局が送信する第２無線信号の届くエリア
図１９（Ａ）はデュアルモード携帯端末ＭＳがＷ−ＣＤＭＡ基地局ＢＴＳ１と通信中に移動によりハンドオーバする説明図である。かかる場合、周辺ＧＳＭ基地局ＢＴＳ２が送信するＷ−ＣＤＭＡ無線信号の届くエリアＡＲＷをＧＳＭ電波が届くエリアＡＲＧより小さく、あるいは同等とする必要がある。このようにエリアを設定すれば、デュアルモード携帯端末ＭＳがＷ−ＣＤＭＡ基地局ＢＴＳ１と通信しながら移動して、通信先をＷ−ＣＤＭＡ基地局ＢＴＳ１からＧＳＭ基地局ＢＴＳ２に切り替える地点は、エリアＡＲＷの内側、換言すれば、確実にＧＳＭ電波が届く範囲内となり、通信が途絶えることがない。しかし、Ｗ−ＣＤＭＡ無線信号の届くエリアＡＲＷがＧＳＭ電波が届くエリアＡＲＧより大きいと、通信先をＷ−ＣＤＭＡ基地局ＢＴＳ１からＧＳＭ基地局ＢＴＳ２に切り替える地点が、ＧＳＭ電波が届かない範囲となり通信が途絶える事態が発生する。
図１９（Ｂ）はデュアルモード携帯端末ＭＳがＧＳＭ基地局ＢＴＳ２と通信中に移動によりハンドオーバする説明図である。かかる場合、周辺Ｗ−ＣＤＭＡ基地局ＢＴＳ１が送信するＧＳＭ無線信号の届くエリアＡＲＧをＷ−ＣＤＭＡ電波が届くエリアＡＲＷより小さく、あるいは同等とする必要がある。このようにエリアを設定すれば、デュアルモード携帯端末ＭＳがＧＳＭ基地局ＢＴＳ２と通信しながら移動して、通信先をＧＳＭ基地局ＢＴＳ２からＷ−ＣＤＭＡ基地局ＢＴＳ１に切り替える地点は、エリアＡＲＧの内側、換言すれば、確実にＷ−ＣＤＭＡ電波が届く範囲内となり、通信が途絶えることがない。しかし、ＧＳＭ無線信号の届くエリアＡＲＧがＷ−ＣＤＭＡ電波が届くエリアＡＲＷより大きいと、通信先をＧＳＭ基地局ＢＴＳ２からＷ−ＣＤＭＡ基地局ＢＴＳ１に切り替える地点が、ＧＳＭ電波が届かない範囲となり通信が途絶える事態が発生する。
（Ｅ）第１無線モードの基地局が第２無線信号を送信開始するタイミング
これまでの実施例では、第１無線モードの基地局が第２無線信号を常時送信している場合である。すなわちＧＳＭ基地局ＢＴＳ２は常時Ｗ−ＣＤＭＡ無線信号を送信し、Ｗ−ＣＤＭＡ基地局ＢＴＳ１は常時ＧＳＭ無線信号を送信する場合である。しかし、常時送信するため、基地局における電力消費が大きくなる問題がある。
そこで、図２０に示すように、ＧＳＭの基地局ＢＴＳ２はＷ−ＣＤＭＡの送信機の他に受信機（Ｗ−ＣＤＭＡ送受信機）２４を具備し、デュアルモード携帯端末ＭＳからのＷ−ＣＤＭＡ無線信号３を受信したとき、Ｗ−ＣＤＭＡ無線信号の送信を開始し、Ｗ−ＣＤＭＡ無線信号３を受信しなくなったときＷ−ＣＤＭＡ無線信号の送信を停止する。尚、図２０は図１と対応し、同一部分には同一符号を付している。
又、図２１に示すように、Ｗ−ＣＤＭＡの基地局ＢＴＳ１はＧＳＭの送信機の他に受信機（ＧＳＭ送受信機）３４を具備し、デュアルモード携帯端末ＭＳからのＧＳＭ無線信号３を受信したとき、ＧＳＭ無線信号の送信を開始し、ＧＳＭ無線信号３を受信しなくなったときＧＳＭ無線信号の送信を停止する。尚、図２１は図２と対応し、同一部分には同一符号を付している。
図２２はデュアルモード携帯端末ＭＳがＷ−ＣＤＭＡ基地局ＢＴＳ１と通信しながら、周辺セルサーチする場合の手順説明図である。
デュアルモード端末ＭＳはＷ−ＣＤＭＡの基地局ＢＴＳ１と通信を行っており、端末ＭＳが移動しＧＳＭ用基地局ＢＴＳ２のエリア（端末ＭＳからの電波が届く範囲）に入ると、ＧＳＭ基地局ＢＴＳ２は端末ＭＳからのＷ−ＣＤＭＡ無線信号３を検出し（ステップ７０１，７０２）、近くにＷ−ＣＤＭＡで動作する無線端末が存在することを知る。Ｗ−ＣＤＭＡで動作する無線端末の存在を検出すれば、ＧＳＭ基地局ＢＴＳ２の制御部２３はＷ−ＣＤＭＡ送受信部２４の送信部を起動し、Ｗ−ＣＤＭＡ用無線信号２の送信を開始する（ステップ７０３）。これにより、デュアルモード携帯端末ＭＳは周辺情報収集時にＧＳＭ用基地局ＢＴＳ２の存在を識別できるようになる。
（Ｆ）デュアルモード携帯端末の動作
図２３はデュアルモード携帯端末の動作を説明するフローである。
デュアルモード携帯端末ＭＳの制御部１３は、Ｗ−ＣＤＭＡモードで通話しながら移動している場合、定期的にＷ−ＣＤＭＡ装置１１に周辺情報収集を行わせ（ステップ８０１）、Ｗ−ＣＤＭＡの周辺基地局、ＧＳＭの周辺基地局がそれぞれ見つかれば登録しておく（ステップ８０２，８０３）。その後、通信に使用している無線信号に劣化が生じたか監視し（ステップ８０４）、劣化が生じると電波の状態の良い他の基地局ＢＴＳを選択する。ただし、ＢＴＳ選択に際して、Ｗ−ＣＤＭＡ用の基地局ＢＴＳが登録されていれば（ステップ８０５でＹＥＳ）、同じ通信モード間でのＷ−ＣＤＭＡ基地局への切替、すなわちハンドオーバを行う（ステップ８０６）。
一方、ステップ８０５において、同じ通信モードの基地局ＢＴＳ（Ｗ−ＣＤＭＡ用の基地局ＢＴＳ）が周辺に存在していない場合は、ＧＳＭ用基地局ＢＴＳの登録があるかどうかを調べ（ステップ８０７）、存在する場合には端末内のＧＳＭ装置１２を起動し（ステップ８０８）、必要な手順を踏んだ後ＧＳＭへのハンドオーバーを行う（ステップ８０９）。その後使用しないＷ−ＣＤＭＡシステムは電源ＯＦＦする（ステップ８１０）。なお、ステップ８０７において、ＧＳＭ用基地局ＢＴＳの登録がなければ圏外表示（ステップ８１１）をして処理を終了する。
以上説明したように、本発明によれば端末の電池消耗を抑えることができる。例を上げて計算すると端末がＷ−ＣＤＭＡモードで動作している場合、端末内のＷ−ＣＤＭＡ装置１１の消費電流を２００ｍＡ，制御部（ＣＰＵ）の消費電流を１００ｍＡ，ＧＳＭ装置１２の消費電流を１２０ｍＡ，ＧＳＭ基地局の周辺情報収集の間隔（周期）を１ｓｅｃ，その収集期間（Ｐｏｗｅｒ  Ｏｎから測定終了まで）を５００ｍｓとすると、従来技術による消費電流は
２００＋１００＋（１２０×５００／１０００）＝３６０ｍＡ
となる。これに対して本発明による消費電流は、ＧＳＭのＰｏｗｅｒ  ＯＮがないため
２００＋１００＝３００ｍＡ
となる。したがって、７００ｍＡｈのバッテリーを使用した場合、
従来技術の電池の寿命は
７００ｍＡｈ／３６０ｍＡ＝１１７分
であるが本発明の電池寿命は
７００ｍＡｈ／３００ｍＡ＝１４０分
となり、従来技術に対して約２３分間電池消耗を抑えることができる。
またデュアルモード携帯端末ＭＳがＧＳＭモードで動作している場合、
従来技術による消費電流は
１２０＋１００＋（２００×５００／１０００）＝３２０ｍＡ
となる。これに対して本発明による消費電流は、Ｗ−ＣＤＭＡのＰｏｗｅｒ  ＯＮがないため
１２０＋１００＝２２０ｍＡ
となる。したがって、７００ｍＡｈのバッテリーを使用した場合、
従来技術の電池の寿命は
７００ｍＡｈ／３２０ｍＡ＝１３１分
であるが本発明の電池寿命は
７００ｍＡｈ／２２０ｍＡ＝１９１分
であり、従来技術に対して約６０分間電池消耗を抑えることができる。
以上では第１の無線通信モードをＷ−ＣＤＭＡ、第２の無線通信モードをＧＳＭとして説明したが本発明はかかる場合に限らず、第１の無線通信モードをＷ−ＣＤＭＡ、第２の無線通信モードをＰＤＣであっても良く、一般に任意の通信モードの組合わせにも適用できる。
以上、本発明によれば、動作中の移動通信モードに応じた装置のみ電源をオンし、他の移動通信モードに応じた装置の電源をオフしたまま各移動通信モードの基地局の周辺における存否を認識できるようにしたから消費電力を小さくして電池寿命を延ばすことができる。
【図１】
2004091244.tif 000003
【図２】
2004091244.tif 000004
【図３】
2004091244.tif 000005
【図４】
2004091244.tif 000006
【図５】
2004091244.tif 000007
【図６】
2004091244.tif 000008
【図７】
2004091244.tif 000009
【図８】
2004091244.tif 000010
【図９】
2004091244.tif 000011
【図１０】
2004091244.tif 000012
【図１１】
2004091244.tif 000013
【図１２】
2004091244.tif 000014
【図１３】
2004091244.tif 000015
【図１４】
2004091244.tif 000016
【図１５】
2004091244.tif 000017
【図１６】
2004091244.tif 000018
【図１７】
2004091244.tif 000019
【図１８】
2004091244.tif 000020
【図１９】
2004091244.tif 000021
【図２０】
2004091244.tif 000022
【図２１】
2004091244.tif 000023
【図２２】
2004091244.tif 000024
【図２３】
2004091244.tif 000025
【図２４】
2004091244.tif 000026
【国際調査報告】
2004091244.tif 000027
2004091244.tif 000028
2004091244.tif 000029
2004091244.tif 000030
2004091244.tif 000031
2004091244.tif 000032